(57)【要約】【課題】サイドウォール部及びカーカスプライの適正化を図ることによって、軽量化されて転がり抵抗が小さく、さらに、耐サイドカット性及び耐オゾンクラック性に優れた空気入りタイヤを提供することにある。【解決手段】前記ビード部２０及びサイドウォール部１０の少なくとも一方の外表面に、タイヤ幅方向断面で見てタイヤ幅方向内側へ抉れてなる凹部１２を有し、かつ、前記空気入りタイヤを適用リムに装着し、標準内圧を充填した状態において、適用リム４０のリムベースライン位置ＬＬからのフランジ高さＨ０の1.3倍の位置Ｈ１におけるタイヤ幅方向最外側のカーカスプライ３３が、前記ビード部２０の厚みＧの中心より内側にあることを特徴とする。【選択図】図１
2011207319.tif 000002
【特許請求の範囲】
【請求項１】
一対のビード部、一対のサイドウォール部及び該サイドウォール部を跨るトレッド部を、前記ビード部に埋設された一対のビードコア間でトロイド状に延びる２枚以上のカーカスプライからなるカーカスを介して連結した空気入りタイヤであって、
前記ビード部及びサイドウォール部の少なくとも一方の外表面に、タイヤ幅方向内側へ抉れてなる凹部を有し、かつ、前記空気入りタイヤを適用リムに装着し、標準内圧を充填した状態において、前記適用リムのベースラインから測ったフランジ高さの1.3倍の位置におけるタイヤ幅方向最外側のカーカスプライが、前記ビード部の厚み中心より内側にあることを特徴とする空気入りタイヤ。
【請求項２】
前記適用リムのベースラインから測ったフランジ高さの1.3倍の位置における、内側カーカスに対する垂線に沿って測定したタイヤ外表面からタイヤ幅方向最外側のカーカスプライまでの距離が、前記ビード部の厚みの65％以上であることを特徴とする請求項１に記載の空気入りタイヤ。
【請求項３】
前記カーカスプライが、前記ビードコア間に跨って延びる本体部とビードコアの周りにタイヤの幅方向内側から外側へ巻き返されて延びる折返し部とからなる少なくとも１層のターンアッププライと、該折返し部のタイヤ幅方向外側を覆って、少なくともビードコアの径方向内側まで延びる少なくとも１層のダウンプライとを含むことを特徴とする請求項１又は２に記載の空気入りタイヤ。
【請求項４】
前記凹部は、タイヤ幅方向断面で見てタイヤ幅方向外側に曲率中心をもつ１又は複数の円弧からなることを特徴とする請求項１〜３のいずれか１項に記載の空気入りタイヤ。
【請求項５】
前記円弧の曲率半径が、50〜250mmの範囲であることを特徴とする請求項４に記載の空気入りタイヤ。
【請求項６】
タイヤ幅方向断面で見て、前記ビードコアの中心を通ってタイヤ回転軸と平行に引いた直線から前記凹部のタイヤ径方向外端までをタイヤ径方向に沿って測定した距離が、タイヤのセクションハイトの0.4〜0.6倍の範囲であることを特徴とする請求項１〜５のいずれか１項に記載の空気入りタイヤ。
【請求項７】
タイヤ幅方向断面で見て、前記ビードコアの中心を通ってタイヤ回転軸と平行に引いた直線から前記凹部のタイヤ径方向内端までをタイヤ径方向に沿って測定した距離が、20〜40mmの範囲であることを特徴とする請求項１〜６のいずれか１項に記載の空気入りタイヤ。
【発明の詳細な説明】
【技術分野】
【０００１】
本発明は、小型トラック等の用途に用いられる空気入りタイヤであり、特に、軽量化されて転がり抵抗が小さく、さらに、良好な耐サイドカット性及び耐オゾンクラック性を有する空気入りタイヤに関する。
【背景技術】
【０００２】
近年、空気入りタイヤでは、環境への配慮および経済性の観点から低燃費のタイヤが求められており、その対応策として転がり抵抗の低減があり、転がり抵抗低減のための手段の一つとして、タイヤの質量を低減させることがある。
【０００３】
タイヤの質量の低減を目的として、カーカス素材としてのプライコードの打ち込み本数を減らす方法があるが、その場合、タイヤの全体剛性が低下するため、タイヤの運動性能、操縦安定性能等が低下することが懸念される。また、タイヤのサイドウォール部およびビード部のゴムの総厚みを薄くする方法も考えられるが、サイドウォール部及びビード部の剛性の低下を引き起こすため、サイドカット性や操縦安定性能等の低下が懸念される。
【０００４】
上記課題を解決すべく、例えば特許文献１には、タイヤ最大幅位置と、ビード部外側面がリムフランジから離反する位置との間で、外側ゴム層に凹部を形成し、その凹部におけるタイヤ側部の総厚みを、タイヤ最大幅位置におけるタイヤ側部の総厚み以上とするとともに、前記凹部の最大深さを1.5mm以上とすることで、ゴム質量を削減してタイヤの軽量化を図るとともに、蓄熱を抑えて外側ゴム層の熱劣化を防止することを企図した空気入りタイヤが記載されている。
【０００５】
ただし、特許文献１に記載の空気入りタイヤについては、タイヤの軽量化を図ることができるものの、負荷転動時、凹部の形成箇所（凹部）に、タイヤ径方向内方に向く圧縮歪および半径方向外方に向く引張り歪みが繰り返し加わることから、タイヤ幅方向の剛性の点でさらなる改良が望まれていた。
【０００６】
さらに、特許文献１に記載の空気入りタイヤは、主鎖中の二重結合の含有割合の高い天然ゴム、イソプレンゴム、ブタジエンゴム、スチレン−ブタジエンゴムなどの高不飽和度ゴムを主要ゴム成分とするゴム組成物で形成されており、高不飽和度ゴムの二重結合部分はオゾンと反応して解重合する性質があるため、長期間の放置又は走行に起因したサイドウォール部のゴム（サイドゴム）表面のクラック（オゾンクラック）を有効に抑制することが望まれていた。特に、ビード部近傍の外表面形状の変化が大きい場合には、前記サイドゴムの表面歪みが大きくなることから、ビード部の他の部分及びサイドウォール部に比べて、耐オゾンクラック性の向上を図る必要がある。
【０００７】
上記のような、タイヤ幅方向の剛性低下に伴うサイドカット及びオゾンクラックを抑制する技術としては、例えば特許文献２に示されているように、前記凹部の凹形状の適正化を図ることで、タイヤ質量を低減しつつ、一定のビード部耐久性を確保した空気入りタイヤが挙げられる。
【０００８】
また、特許文献３では、リム組みする前のビード同士の間隔を適用リムのリム幅よりも広くすることで、軽量化及びビード部耐久性の向上を図った空気入りタイヤが開示されている。
【０００９】
なお、特許文献４には、タイヤの軽量化は図られていないが、ビード部の耐久性向上を目的として、カーカスプライの折返し部の位置及びビードフィラーの硬度の適正化を図った空気入りタイヤが開示されている。
【先行技術文献】
【特許文献】
【００１０】
【特許文献１】特開２０００−１５８９１９号公報
【特許文献２】特開平１０−１９３９２４号公報
【特許文献３】特開２００９−７３３６９号公報
【特許文献４】特開２００７−２１０３６３号公報
【発明の概要】
【発明が解決しようとする課題】
【００１１】
ここで、特許文献２の空気入りタイヤでは、タイヤ質量は低減できるものの、十分にカーカスプライの折返し部近傍での歪みを緩和できず、依然としてサイドウォール部に発生するサイドカット及びオゾンクラックの発生の問題は残されたままであった。
【００１２】
また、特許文献３の空気入りタイヤは、耐サイドカット性及び耐オゾンクラック性の向上に一定の効果を奏するものの、さらに効果的に耐サイドカット性及び耐オゾンクラック性を向上できる技術の開発が望まれていた。
【００１３】
本発明の目的は、ビード部及びカーカスプライの適正化を図ることによって、軽量化されて転がり抵抗が小さく、さらに、耐サイドカット性及び耐オゾンクラック性に優れた空気入りタイヤを提供することにある。
【課題を解決するための手段】
【００１４】
本発明者は、一対のビード部、一対のサイドウォール部及び該サイドウォール部を跨るトレッド部を、前記ビード部に埋設された一対のビードコア間でトロイド状に延びる２枚以上のカーカスプライからなるカーカスを介して連結する空気入りタイヤについて、上記の課題を解決すべく鋭意検討を重ねた。
そして、サイドゴム部分に所定の凹部を形成することで、軽量化でき、それに伴って転がり抵抗を低減することができ、さらに、所定のタイヤ径方向位置におけるタイヤ幅方向最外側のカーカスプライの位置の適正化を図ることによって、タイヤ幅方向の剛性を確保するのに十分なサイドゴムの幅を確保できるため、耐サイドカット性及び耐オゾンクラック性を向上できることを見出した。
【００１５】
本発明は、このような知見に基づきなされたもので、その要旨は以下の通りである。
（１）一対のビード部、一対のサイドウォール部及び該サイドウォール部を跨るトレッド部を、前記ビード部に埋設された一対のビードコア間でトロイド状に延びる２枚以上のカーカスプライからなるカーカスを介して連結した空気入りタイヤであって、前記ビード部及びサイドウォール部の少なくとも一方の外表面に、タイヤ幅方向内側へ抉れてなる凹部を有し、かつ、前記空気入りタイヤを適用リムに装着し、標準内圧を充填した状態において、前記適用リムのベースラインから測ったフランジ高さの1.3倍の位置におけるタイヤ幅方向最外側のカーカスプライが、前記ビード部の厚み中心より内側にあることを特徴とする空気入りタイヤ。
【００１６】
（２）前記適用リムのベースラインから測ったフランジ高さの1.3倍の位置における、内側カーカスに対する垂線に沿って測定したタイヤ外表面からタイヤ幅方向最外側のカーカスプライまでの距離が、前記ビード部の厚みの65％以上であることを特徴とする上記（１）に記載の空気入りタイヤ。
【００１７】
（３）前記カーカスプライが、前記ビードコア間に跨って延びる本体部とビードコアの周りにタイヤの幅方向内側から外側へ巻き返されて延びる折返し部とからなる少なくとも１層のターンアッププライと、該折返し部のタイヤ幅方向外側を覆って、少なくともビードコアの径方向内側まで延びる少なくとも１層のダウンプライとを含むことを特徴とする上記（１）又は（２）に記載の空気入りタイヤ。
【００１８】
（４）前記凹部は、タイヤ幅方向断面で見てタイヤ幅方向外側に曲率中心をもつ１又は複数の円弧からなることを特徴とする上記（１）〜（３）のいずれかに記載の空気入りタイヤ。
【００１９】
（５）前記円弧の曲率半径が、50〜250mmの範囲であることを特徴とする上記（１）〜（４）のいずれかに記載の空気入りタイヤ。
【００２０】
（６）タイヤ幅方向断面で見て、前記ビードコアの中心を通ってタイヤ回転軸と平行に引いた直線から前記凹部のタイヤ径方向内端までをタイヤ径方向に沿って測定した距離が、20〜40mmの範囲であることを特徴とする上記（１）〜（５）のいずれかに記載の空気入りタイヤ。
【００２１】
（７）タイヤ幅方向断面で見て、前記ビードコアの中心を通ってタイヤ回転軸と平行に引いた直線から前記凹部のタイヤ径方向外端までをタイヤ径方向に沿って測定した距離が、タイヤのセクションハイトの0.4〜0.6倍の範囲であることを特徴とする上記（１）〜（６）のいずれか１項記載の空気入りタイヤ。
【発明の効果】
【００２２】
本発明によれば、軽量化されて転がり抵抗が小さく、さらに、耐サイドカット性及び耐オゾンクラック性を損なわない空気入りタイヤを提供することが可能となった。
【図面の簡単な説明】
【００２３】
【図１】(ａ)は、本発明に従う空気入りタイヤについての幅方向断面図であり、(ｂ)は、（a）のビード部及びサイドウォール部の一部を拡大して示した図である。
【図２】従来の空気入りタイヤについての幅方向断面図である。
【図３】従来の空気入りタイヤについての幅方向断面図である。
【発明を実施するための形態】
【００２４】
以下、本発明の実施形態を、図１を用いて説明する。
図１(ａ)は、幅方向断面で見た、本発明による空気入りタイヤの半部であり、図１(ｂ)は、図１(ａ)に示した空気入りタイヤのビード部及びサイドウォール部の一部について拡大して示したものである。
【００２５】
本発明は、図１(ａ)に示すように、一対のビード部２０、一対のサイドウォール１０部及び該サイドウォール１０部を跨るトレッド部５０を、前記ビード部２０に埋設された一対のビードコア２１間でトロイド状に延びる２枚以上のカーカスプライ（図１(ａ)では、ターンアッププライ３１及びダウンプライ３３の２枚）からなるカーカス３０を介して連結した空気入りタイヤである。
【００２６】
そして、本発明では、図１(ｂ)に示すように、前記ビード部２０及びサイドウォール部１０の少なくとも一方の外表面に、タイヤ幅方向断面で見てタイヤ幅方向内側へ抉れてなる凹部１２を有し、かつ、前記空気入りタイヤを適用リムに装着し、標準内圧を充填した状態において、適用リム４０のリムベースライン位置ＬＬからのフランジ高さＨ０の1.3倍の位置Ｈ１におけるタイヤ幅方向最外側のカーカスプライ（図１(ｂ)ではダウンプライ３３）が、Ｈ１において内側カーカス（タイヤ幅方向最内側にあるカーカスのことをいう。図１(ｂ)ではカーカスプライ３１の本体部３１ａである。）に対する垂線に沿って測定した前記ビード部２０の厚みＧの中心より内側にある（言い換えれば、図１(ｂ)で示すように、タイヤ外表面からダウンプライまでの内側カーカスに対する垂線に沿って測定した距離Ｘが、タイヤ外表面からビード部中心までの距離（1／2Ｇ）よりも大きい）ことを特徴とする。
なお、適用リムとは、タイヤが生産され、使用される地域に有効な産業規格であって、日本ではＪＡＴＭＡ（日本自動車タイヤ協会）ＹＥＡＲ  ＢＯＯＫ、欧州ではＥＴＲＴＯ（Ｅｕｒｏｐｅａｎ  Ｔｙｒｅａｎｄ  Ｒｉｍ  Ｔｅｃｈｎｉｃａｌ  Ｏｒｇａｎｉｓａｔｉｏｎ）ＳＴＡＮＤＡＲＤ  ＭＡＮＵＡＬ、米国ではＴＲＡ（ＴＨＥ  ＴＩＲＥ  ａｎｄ  ＲＩＭ  ＡＳＳＯＣＩＡＴＩＯＮ  ＩＮＣ．）ＹＥＡＲ  ＢＯＯＫ等に規定されたリムをいうものとする。また、標準内圧とは、上記のＪＡＴＭＡ ＹＥＡＲ ＢＯＯＫ（日本自動車タイヤ協会規格）等に定められたラジアルプライタイヤのサイズに対応する適用リム及び空気圧−負荷能力対応表に基づくものである。
【００２７】
すなわち、前記凹部１２を形成することによって、タイヤの軽量化が可能となる結果、タイヤの転がり抵抗を有効に低減することができる。さらに、リムフランジ高さＨ０の1.3倍の位置Ｈ１における各カーカスプライ（図１(ｂ)ではターンアッププライ３１の本体部３１ａ、折返し部３１ｂ、ダウンプライ３３）が、前記ビード部２０の厚みＧの中心より内側へ配置されることにより、前記凹部１２を形成した場合であっても、各カーカスプライ３１、３３のタイヤ幅方向外側に位置するサイドゴム１１の厚みを確保できるため、タイヤ幅方向の強度が向上し、サイドカット及びオゾンクラックの発生を抑制できる。
【００２８】
従来の凹部１２を形成した空気入りタイヤ（図示せず）の場合、前記ビード部２０中での前記各カーカスプライ３１、３３の通過位置について適正化が図られていない（カーカスプライがビード部２０の厚みＧの中心よりも外側を通過している）ことから、前記折返し部３１ｂのタイヤ幅方向外側にあるサイドゴム１１の厚みを十分に確保できず、タイヤの横剛性が十分に得られないため、高い耐サイドカット性及び耐オゾンクラック性を確保することが難しかった。
【００２９】
また、耐サイドカット性及び耐オゾンクラック性をさらに向上できる点から、前記適用リム４０のベースラインＬＬから測ったフランジ高さＨ０の1.3倍の位置Ｈ１における内側カーカスに対する垂線に沿って測定したタイヤ外表面からタイヤ幅方向最外側のカーカスプライ３３までの距離Ｘが、前記ビード部の厚みＧの65％以上であることが好ましい。
【００３０】
なお、前記ビード部２０の厚みＧに対する前記折返し部３１ｂの通過位置を、適用リム４０のフランジ高さＨ０の1.3倍の位置Ｈ１において判断する理由としては、一般的に、上記位置Ｈ１は、タイヤの中でも最もゴム厚さが薄くなる部分であり、故障の起点となり易いからである。なお、前記リムベースラインＬＬからのフランジ高さＨ０とは、その名の通りリムフランジ４０ａの高さであり、リムフランジ外径とリム径との差を1／2にすることによって算出できる。
【００３１】
ここで、本発明のカーカス３０を構成するカーカスプライ３１、３２、３３については、タイヤの幅方向及び径方向の強度を確保する点から２枚以上備えていれば、その他の条件については特に限定はしない。例えば、図１(ａ)に示すように、前記ビードコア２１間に跨って延びる本体部３１ａとビードコアの周りにタイヤの幅方向内側から外側へ巻き返されて延びる折返し部３１ｂとからなるターンアッププライ３１及び、少なくともビードコア２１の径方向内側まで延びるダウンプライ３３、の２層からなる構成とすることもできるし、図示はしていないが、いずれもターンアッププライである２本のカーカスプライからなる構成とすることもできる。また、カーカスプライの枚数は２枚以上であればよく、上限については特に限定されない。
【００３２】
また、タイヤ幅方向の剛性を確保する点からは、前記カーカスプライが、図１(ｂ)に示すように、前記ビードコア２１間に跨って延びる本体部３１ａとビードコアの周りにタイヤの幅方向内側から外側へ巻き返されて延びる折返し部３１ｂとからなる少なくとも１層のターンアッププライ３１と、該折返し部３１ｂのタイヤ幅方向外側を覆って、少なくともビードコア２１の径方向内側まで延びる少なくとも１層のダウンプライ３３とを含むことが好ましい。この場合、所望の耐サイドカット性及び耐オゾンクラック性を確保するため、ターンアッププライ３１の本体部３１ａ及び折返し部３１ｂ、並びに、ダウンプライ３３のいずれについても、リムフランジ高さＨ０の1.3倍の位置Ｈ１において前記ビード部２０の厚みＧの中心より内側Ｘ１、Ｘ２、Ｘ３を通る必要がある。
【００３３】
また、前記カーカスプライ３１が、図１(ａ)に示すようなターンアッププライである場合、折返し部３１ｂの端部３１ｃのタイヤ径方向位置については、適用リムのベースラインＬＬからのフランジ高さＨ０の2.2〜3.7倍の高さ位置にあることが好ましい。タイヤ圧縮時の前記サイドウォール部１０の歪みが小さい部分に前記終端３１ｃを配置することができるため、有効にカーカスプライ端部３１ｃのセパレーションを防ぐことができるからである。
【００３４】
また、本発明による空気入りタイヤの凹部１２とは、図１(ａ)に示すように、前記ビード部２０及びサイドウォール部１０の少なくとも一方に位置するサイドゴム１１の外面を抉ってなる部分のことをいい、図２に示す従来のビード部のサイドゴム１１０とはその形状及び厚さが異なることがわかる。また、タイヤ幅方向剛性を確保しつつ、有効に軽量化を行える点から、前記凹部１２は、タイヤ幅方向断面で見てタイヤ幅方向外側に曲率中心をもつ１又は複数の円弧（図示せず）からなることが好ましく、さらに、適用リムへ組付けする前の前記円弧の曲率半径が、50〜250mmの範囲であることが好ましい。円弧の曲率半径が50mm未満の場合、曲率半径が小さすぎるために耐オゾンクラック性が低下する恐れがあり、一方、250mmを超えると、十分に軽量化を行うことができないからである。
【００３５】
さらに、図１(ａ)に示すように、タイヤ幅方向断面で見て、前記ビードコア２１の中心を通ってタイヤ回転軸と平行に引いた直線ＢＣから前記凹部１２のタイヤ径方向外端１２ａまでをタイヤ径方向に沿って測定した距離Ｍ１が、タイヤのセクションハイト（タイヤの断面高さ）ＳＨの0.4〜0.6倍の範囲であることが好ましい。距離Ｍ１がセクションハイトの0.4倍未満の場合、前記凹部１２形成による軽量化が十分でなく、転がり抵抗の低減を図れないおそれがあるからであり、一方、距離Ｍ１がセクションハイトの0.6倍を超えると、サイドゴムゲージを十分に確保できないため、サイドカット性の低下を引き起こす恐れがあるからである。
【００３６】
また、図１(ａ)に示すように、タイヤ幅方向断面で見て、前記ビードコア２１の中心を通ってタイヤ回転軸と平行に引いた直線ＢＣから前記凹部１２のタイヤ径方向内端１２ｂまでをタイヤ径方向に沿って測定した距離Ｍ２が、20〜40mmの範囲であることが好ましい。距離Ｍ２が20mm未満の場合、前記タイヤ外表面の前記適用リム４０のフランジ４０ａに接する面積が小さくなるため、耐久性が低下する恐れがあり、一方、距離Ｍ２が40mmを超えると、前記凹部１２のサイドゴム１１の抉り量が少なくなり、タイヤの軽量化効果が低減する恐れがあるからである。
【００３７】
上述したところは、この発明の実施形態の一例を示したにすぎず、請求の範囲において種々の変更を加えることができる。
【実施例】
【００３８】
次に、本発明に従う空気入りタイヤを試作し、性能を評価したので、以下で説明する。
（実施例１、２）
実施例１及び２として、図１(ａ)に示すように、一対のビード部２０、一対のサイドウォール部１０及び該サイドウォール１０部を跨るトレッド部５０を、前記ビード部２０に埋設された一対のビードコア２１間でトロイド状に延びる、３枚のカーカスプライ３１、３３からなるカーカス３０とを備え、図１(ｂ)に示すように、サイドゴム部分１１に、タイヤ幅方向断面で見てタイヤの外側に曲率中心Ｑをもつ円弧からなる凹部１２を有し、かつ、適用リムのベースラインＬＬからのフランジ高さＨ０の1.3倍の位置Ｈ１におけるタイヤ幅方向最外側のカーカスプライ（ダウンプライ３３）が、前記ビード部２０の厚みＧの中心より内側を通る空気入りタイヤ（サイズ：LVR 225／75R16 118L、リム幅：6インチ、空気圧：600kPa）を作製した。
なお、ビード部の厚みＧに対する適用リム４０のフランジ高さＨ０の1.3倍の位置Ｈ１におけるタイヤ外表面からのタイヤ幅方向最内側に位置するカーカス３１ａに対する垂線に沿ったカーカスプライ３３の距離（Ｘ／Ｇ）、凹部１２の有無、及び、前記凹部１２を形成する円弧の曲率半径Ｒについては表１に示す。
【００３９】
（比較例１）
比較例１は、図３に示すように、サイドウォール部１０１のサイドゴム１１１に、前記凹部１２を設けておらず、前記ビード部２０が肉厚であり、さらに、前記ダウンプライ３３が、適用リムのベースラインＬＬからのフランジ高さＨ０の1.3倍の位置Ｈ１において前記ビード部２０の厚みＧの中心より外側を通ること以外は、実施例と同様の条件によって、通常の空気入りタイヤ（サイズ：LVR 225／75R16 118L、リム幅：6インチ、空気圧：600kPa）を作製した。
なお、ビード部の厚みＧに対する適用リム４０のフランジ高さＨ０の1.3倍の位置Ｈ１におけるタイヤ外表面からのタイヤ幅方向最内側に位置するカーカス３１ａに対する垂線に沿ったカーカスプライ３３の距離（Ｘ／Ｇ）、凹部１２の有無、及び、前記凹部１２を形成する円弧の曲率半径Ｒについては表１に示す。
【００４０】
（比較例２）
比較例２は、図２に示すように、サイドウォール部１００のサイドゴム１１０に、前記凹部１２を設けておらず、前記ビード部２０が肉厚であること以外は実施例と同様の条件によって、空気入りタイヤ（サイズ：LVR 225／75R16 118L、リム幅：6インチ、空気圧：600kPa）を作製した。
なお、ビード部の厚みＧに対する適用リム４０のフランジ高さＨ０の1.3倍の位置Ｈ１におけるタイヤ外表面からのタイヤ幅方向最内側に位置するカーカス３１ａに対する垂線に沿ったカーカスプライ３３の距離（Ｘ／Ｇ）、凹部１２の有無、及び、前記凹部１２を形成する円弧の曲率半径Ｒについては表１に示す。
【００４１】
（比較例３）
比較例３は、前記ダウンプライ３３が、適用リムのベースラインＬＬからのフランジ高さＨ０の1.3倍の位置Ｈ１において前記ビード部２０の厚みＧの中心より外側を通ること以外は、実施例と同様の空気入りタイヤ（サイズ：LVR 225／75R16 118L、リム幅：6インチ、空気圧：600kPa）を作製した。
なお、ビード部の厚みＧに対する適用リム４０のフランジ高さＨ０の1.3倍の位置Ｈ１におけるタイヤ外表面からのタイヤ幅方向最内側に位置するカーカス３１ａに対する垂線に沿ったカーカスプライ３３の距離（Ｘ／Ｇ）、凹部１２の有無、及び、前記凹部１２を形成する円弧の曲率半径Ｒについては表１に示す。
【００４２】
（評価）
実施例及び比較例１〜３の空気入りタイヤについて、以下の方法によって評価を行った。
【００４３】
（１）タイヤ質量
実施例及び比較例の各空気入りタイヤについて、それぞれの質量を測定し、タイヤの軽量化について評価を行った。評価は、比較例１の質量からどれだけ軽量化が図られているかを表示し、その値が小さいほど軽量化が図られており良好な結果である。評価結果は、表１に示す。
【００４４】
（２）転がり抵抗
実施例及び比較例の各空気入りタイヤについて、実際に自動車に取り付け、最大内圧（JATMA規格）、車両の最大積載質量（JATMA規格）の状態で、80km／hで走行させた際の抵抗値を、フォース式測定試験機を用いて測定することによって、転がり抵抗の評価を行った。評価結果は、比較例１の転がり抵抗を100としたときの指数比で表示し、表１に示す。なお、表１中の数値は、小さいほど転がり抵抗が小さく良好な結果である。
【００４５】
（３）耐オゾンクラック性及び耐サイドカット性
実施例及び比較例の各空気入りタイヤについて、最大内圧（JATMA規格）で、JATMA規格の最大荷重の1.5倍の荷重をかけた状態で、60km／hで走行させ、故障（サイドカットやオゾンクラック等）が発生するまでの走行距離を計測することで、評価を行った。評価は、比較例１の走行距離を100としたときの指数比で表示し、大きいほど走行距離が長く耐久性が高いことを意味する。評価結果は表１に示す。
【００４６】
【表１】
2011207319.tif 000003
【００４７】
表１の結果より、実施例１及び２の空気入りタイヤは、所定の凹部を有さない比較例１及び２の空気入りタイヤに比べて、タイヤ質量が小さく、転がり抵抗を低減できていることがわかった。さらに、タイヤ幅方向の最外側にあるカーカスプライの位置について適正化が図られている実施例１及び２の空気入りタイヤは、適正化が図られていない比較例１及び３の空気入りタイヤに比べて、ビード耐久性が高いことがわかった。
【産業上の利用可能性】
【００４８】
本発明によれば、軽量化されて転がり抵抗が小さく、さらに、耐サイドカット性及び耐オゾンクラック性に優れた空気入りタイヤを提供することが可能となる。
【符号の説明】
【００４９】
１０            サイドウォール部
２０            ビード部
２１            ビードコア
２２            突起
２３            ビードフィラー
３０            カーカス
３１、３２、３３  カーカスプライ
３１ａ          プライ本体部
３１ｂ          プライ折返し部
４０            リム
４０ａ          フランジ
５０            トレッド部
【図１】
2011207319.tif 000004
【図２】
2011207319.tif 000005
【図３】
2011207319.tif 000006